(57)【特許請求の範囲】
【請求項１】
板状で、片面が表示面である第１パネル部材と、
前記第１パネル部材と略同一形状の第２パネル部材と、
前記第２パネル部材を、第１パネル部材の表示面を覆う被覆位置と、前記第１パネル部材の表示面を露出させるように、前記第１パネル部材の背後に位置させる退避位置とに移動可能とする位置切替部材と、
前記第１パネル部材と前記第２パネル部材とを支持する装置本体と、
を備え、
前記位置切替部材は、
前記装置本体に形成した支持部と、
前記支持部に、支軸を中心として旋回可能に設けたリンク部材と、
を備え、
前記各パネル部材は、前記リンク部材の摺動部が摺動することにより、前記表示面に沿う方向に移動可能とする摺動受部を備えたことを特徴とする表示装置。
【請求項２】
前記位置切替部材は、前記両パネル部材を共に露出させる２画面表示位置に位置決め可能であることを特徴とする請求項１に記載の表示装置。
【請求項３】
前記第２パネル部材は、透光性を有するタッチパネル部材で構成したことを特徴とする請求項１に記載の表示装置。
【請求項４】
前記リンク部材は、前記支軸を中心として旋回する第１リンク部と第２リンク部とからなり、前記両パネル部材の少なくとも一部が重なった状態で、前記各リンク部材の摺動部が、前記各パネル部材の摺動受部を摺動する位置を、表示面に沿う方向にずらせて配置したことを特徴とする請求項１から３のいずれか１項に記載の表示装置。
【請求項５】
前記支持部は、前記支軸を中心として回転可能なラックを備え、
前記各パネル部材は、前記表示面に沿う移動方向に、前記ラックが噛合するピニオンを備えたことを特徴とする請求項１から４のいずれか１項に記載の表示装置。
【請求項６】
前記各パネル部材を、前記表示面に沿う移動方向に移動させた際、前記両パネル部材が互いに重なり合う位置で停止させる停止部材をさらに備えたことを特徴とする請求項５に記載の表示装置。
【請求項７】
前記第１パネル部材と前記第２パネル部材の間、及び、前記パネル部材のいずれか一方と装置本体の間は、パネル部材の摺動部を介して有線接続したことを特徴とする請求項４から６のいずれか１項に記載の表示装置。
【請求項８】
前記各パネル部材と前記装置本体とは、それぞれに設けた送受信部を介して無線接続したことを特徴とする請求項１から７のいずれか１項に記載の表示装置。
【発明の詳細な説明】
【技術分野】
【０００１】
本発明は、表示装置、特に、タッチパネル機構を備えた表示装置に関するものである。
【背景技術】
【０００２】
従来、表示装置として、移動操作可能なタッチパネルを備えたものが公知である（例えば、特許文献１参照）。この表示装置では、タッチパネルを備えた表示部を収納ボックスに収容でき、使用時に引き出すことが可能となっている。
【０００３】
【特許文献１】特開２０００−５６７０３号公報
【発明の開示】
【発明が解決しようとする課題】
【０００４】
しかしながら、前記表示装置では、タッチパネルが液晶画面等の表示部の表面に一体化されている。タッチパネル自身は透光性を有するものの、表示部のみで表示させる構成に比べると、多少画質が低下することは避けられない。
【０００５】
また、前記表示装置では、表示部を、収納位置から引出位置に移動させることができるだけであり、大型化が避けられない。
【０００６】
さらに、コンパクトな構成であるにも拘わらず、２画面を切り替えて１画面ずつ表示でき、あるいは、２画面同時に表示できるような構成が望まれている。
【０００７】
そこで、本発明は、コンパクトな構成で、かつ、２画面を切り替えて表示、あるいは、２画面同時に表示することのできる表示装置を提供することを課題とする。
【課題を解決するための手段】
【０００８】
本発明は、前記課題を解決するための手段として、
表示装置を、
板状で、片面が表示面である第１パネル部材と、
前記第１パネル部材と略同一形状の第２パネル部材と、
前記第２パネル部材を、第１パネル部材の表示面を覆う被覆位置と、前記第１パネル部材の表示面を露出させるように、前記第１パネル部材の背後に位置させる退避位置とに移動可能とする位置切替部材と、
前記第１パネル部材と前記第２パネル部材とを支持する装置本体と、
を備え、
前記位置切替部材は、
前記装置本体に形成した支持部と、
前記支持部に、支軸を中心として旋回可能に設けたリンク部材と、
を備え、
前記各パネル部材は、前記リンク部材の摺動部が摺動することにより、前記表示面に沿う方向に移動可能とする摺動受部を備えた構成としたものである。
【０００９】
前記構成により、２枚のパネル部材のいずれか一方を前面に位置させる場合、残る他方のパネル部材を背後に位置させることができる。つまり、非常にコンパクトな構成であるにも拘わらず、両パネル部材を視認可能に位置変更することが可能である。また、両パネル部材はリンク部材によって支持されながら安定した状態で、前後の位置関係を変更することができる。
【００１０】
前記位置切替部材は、前記両パネル部材を共に露出させる２画面表示位置に位置決め可能とするのが好ましい。
【００１１】
この構成により、いずれか一方のパネル部材を視認可能な位置に配置させることができるだけでなく、両パネル部材を同時に視認可能な位置に配置させ、用途に応じて自由な配置とすることが可能となる。
【００１２】
前記第２パネル部材は、透光性を有するタッチパネル部材で構成するようにしてもよい。なお、タッチパネル部材には、感圧式、静電式のいずれのタイプのものでも使用可能である。
【００１３】
この構成により、タッチ操作する場合には、第２パネル部材を前面に位置させる一方、第１パネル部材の表示部の視認性を重視する場合には、第１パネル部材を前面に位置させることができる。
【００１６】
前記リンク部材は、前記支軸を中心として旋回する第１リンク部と第２リンク部とからなり、前記両パネル部材の少なくとも一部が重なった状態で、前記各リンク部材の摺動部が、前記各パネル部材の摺動受部を摺動する位置を、移動方向にずらせて配置するのが好ましい。
【００１７】
この構成により、リンク部材による各パネル部材の支持位置をずらせることができ、簡単な構成であるにも拘わらず、パネル部材の移動を安定した状態で行うことが可能となる。
【００１８】
前記支持部は、前記支軸を中心として回転可能なラックを備え、
前記各パネル部材は、前記表示面に沿う移動方向に、前記ラックが噛合するピニオンを備えるのが好ましい。
【００１９】
この構成により、前記両パネル部材の位置を入れ替える際、ピニオンにラックが噛合することにより、位置ずれ等を発生させることなく、スムーズな操作を行うことが可能となる。
【００２０】
前記各パネル部材を、前記表示面に沿う移動方向に移動させた際、前記両パネル部材が互いに重なり合う位置で停止させる停止部材をさらに備えるのが好ましい。
【００２１】
この構成により、前記パネル部材の位置の入れ替えを、簡単かつ確実に行うことが可能となる。
【００２２】
前記第１パネル部材と前記第２パネル部材の間、及び、前記パネル部材のいずれか一方と装置本体の間は、パネル部材の摺動部を介して有線接続すればよい。
【００２３】
前記各パネル部材と前記装置本体とは、それぞれに設けた送受信部を介して無線接続してもよい。
【発明の効果】
【００２４】
本発明によれば、２枚のパネル部材を前後に入れ替え可能な構成としたので、コンパクトであるにも拘わらず、両パネル部材を前面に位置させることができ、使い勝手がよい。
【発明を実施するための最良の形態】
【００２５】
以下、本発明に係る実施形態を添付図面に従って説明する。
【００２６】
図１及び図２は、本実施形態に係る表示装置を示す。この表示装置は、大略、装置本体１に、第１パネル部材２と第２パネル部材３を取り付けた構成である。
【００２７】
装置本体１は、平面視矩形状で、中央部にパネル部材２、３が位置する溝部４が形成されている。溝部４を構成する両内側面の中央部分には、図３（ａ）に示すように、溝状の支持部５（一方は図示せず）がそれぞれ形成されている。支持部５には、往復移動可能に支軸５ａが設けられ、この支軸５ａには、ラック６と、リンク部材７とがそれぞれ回転可能に取り付けられている。
【００２８】
ラック６は、後述するリンク部材７のピニオン１１に噛合してリンク部材７の動きを、操作性のよい適切なものとする。このために、必要に応じて支軸５ａによるラック６の支持状態を変更し、ラック６が回転する際に受ける摩擦抵抗を調整するようにしてもよい（例えば、ラック６を支持する部分にゴム製の抵抗体等を配置すればよい。）。
【００２９】
ここに、ラック６、リンク部材７、ピニオン１１等により位置切替部材を構成している。
【００３０】
リンク部材７は、第１リンク部８と第２リンク部９とで構成されている。各リンク部の両端部には、前記ガイド溝１２に摺動可能に配置される摺動部１０が形成されている。第１リンク部８は第２リンク部９に比べて長く、その結果、前記摺動部１０は、前記ガイド溝１２に配置された状態で、位置がずれて配置されるようになっている。
【００３１】
第１パネル部材２は、平面視矩形板状の透明なタッチパネルで構成されている。第１パネル部材２の両側面中央部には、中心近傍から一端側に向かって前記ラック６が噛合するピニオン１１が形成されている。ピニオン１１のギア部は、第１パネル部材２の表裏面に平行な部分（直線部１１ａ）のみならず、一端側の円弧部分（円弧部１１ｂ）にも連続して形成されている。また、ピニオン１１のギア部内側には、前記摺動部１０が摺動可能に配置される摺動受部、すなわちガイド溝１２が形成されている。
【００３２】
第２パネル部材３は、前記第１パネル部材２と平面視略同一形状で、厚みの大きな液晶ディスプレイで構成されている。液晶ディスプレイは、例えば、受信した映像を表示するテレビとして利用することが可能である（この場合、別途アンテナ等が必要である。）。また、第２パネル部材３も、前記第１パネル部材２と同様なピニオン１１及びガイド溝１２が形成されている。
【００３３】
なお、前記第１パネル部材２及び前記第２パネル部材３からは、共に図示しない配線を介して装置本体１内に設けた制御装置（ＣＰＵ等）や電源装置（共に図示せず）に有線接続されている。配線は、例えば、支持部５から内部へと挿通できるように構成すればよい。制御装置は、第１パネル部材２でのタッチ操作を受信し、第２パネル部材３での表示制御を行う。有線接続の方法としては、例えば、通信ケーブルの一端部を、各パネル部材２、３のガイド溝１２に位置するリンク部材７の摺動部１０に挿通し、通信ケーブルの他端部を装置本体１側へと接続するようにすればよい。また、第１パネル部材２と第２パネル部材３を、各摺動部１０で通信ケーブルにより接続し、いずれか一方のパネル部材２又は３と装置本体１とを通信ケーブルにより接続するようにしてもよい。通信ケーブルには、例えば、１本の光ファイバーケーブルを使用し、時分割データ通信を行うようにすればよい。また、前記装置本体１に設けた制御装置は、いずれか一方のパネル部材２、３に設けるようにしてもよい。
【００３４】
また、装置本体１と、第１パネル部材２及び第２パネル部材３とのデータの送受信は、無線で行うようにしてもよく、光、赤外線のほか、電波を利用することができる。電波を利用する場合、それぞれに送受信部を備えていればよく、それらは対向して配置する必要もないので、レイアウトの自由度が高く、設計しやすい。
【００３５】
図７及び図８は、光又は赤外線通信を行う場合の送受信部のレイアウトの一例を示す。ここでは、装置本体１の溝部４の内側面と、各パネル部材２、３の側面とに送受信部１３ａ、１３ｂをそれぞれ設けている。
【００３６】
次に、前記構成の表示装置の動作について説明する。
【００３７】
第１パネル部材２を前面から第２パネル部材３の背面に移動させる場合、あるいは、第２パネル部材３を前面から第１パネル部材２の背面に移動させる場合、前面に位置するパネル部材を指等で押圧してスライド移動させる。
【００３８】
例えば、第１パネル部材２が前面に位置している場合、図３（ａ）に示すように、この第１パネル部材２をスライド移動させると、ピニオン１１に噛合するラック６が回転し、第２パネル部材３が第１パネル部材２のスライド方向とは反対方向にスライドを開始する。この間、リンク部材７の摺動部１０が各パネル部材２、３のガイド溝１２を摺動する。前述の通り、第１リンク部８と第２リンク部９の長さを相違させ、ガイド溝１２に位置する摺動部１０の位置をスライド方向にずらせている。したがって、スライド移動中に各パネル部材２、３がスライド方向とは異なる方向に位置ずれすることがなく、スムーズな動きを実現できる。
【００３９】
第１パネル部材２をさらにスライド移動させ、第２パネル部材３との重なり部分が少なくなってくると、図２（ａ）及び図４（ａ）に示すように、リンク部材７の摺動部１０の位置が徐々に接近する。また、両パネル部材２、３のピニオン１１に噛合するラック６は、平行部１１ａから円弧部１１ｂに至る。このため、両パネル部材２、３は、装置本体１に対して平行な状態を維持したままで、ピニオン１１を中心として前面側と背面側の位置関係を徐々に変化させる。図４（ｂ）は、両パネル部材２、３が同一平面上に位置した状態を示す。この状態で、停止部材により、例えば、装置本体１の溝部４内にスペーサを挿入したり、装置本体１から図示しない突起を突出させたりすることにより、両パネル部材２、３を位置決めするようにしてもよい。これにより、例えば、両パネル部材２、３を共に液晶ディスプレイで構成すれば、安定させた状態で、２画面を表示させることができ、ゲーム等、種々の用途での使用に適したものとなる。また、２画面表示する場合、２画面で１つの画像等を表示すれば、大画面表示が可能となる。例えば、地図を表示する場合には、拡大表示することにより見やすくなる。また、カーナビゲーションシステムの表示画面として利用する場合、一方の画面に広域地図を表示し、他方の画面に進路変更箇所等を拡大表示したり、３Ｄ（三次元）表示等で表示目的を変更可能としたりすることも可能である。なお、２画面表示であるか否かは、例えば、図示しないセンサで、ラック６の回転状態を検出したり、各パネル部材２、３の位置を直接検出したりすることにより検出し、２画面表示になったと判断された時点で、前記各表示を行うようにすればよい。
【００４０】
図４（ｂ）に示す状態から、図２（ｂ）及び図５（ａ）に示すように、第１パネル部材２を徐々に第２パネル部材３の背後に移動させて行くと、図５（ｂ）に示すように、ピニオン１１に噛合するラック６が円弧部１１ｂから徐々に直線部１１ａに至り、リンク部材７による摺動部１０の位置が徐々にガイド溝１２内で離れ、前述とは逆の動作により、図６に示すように、第２パネル部材３が前面に位置する。このとき、第１パネル部材２に対して第２パネル部材３の厚みが大きく形成されているので、支軸５ａを支持部５に沿って下方に移動させることにより、第２パネル部材３が前面側に位置した場合でも、その表示面を、第１パネル部材２が前面側に位置する場合と同じ位置とする。
【００４１】
このように、第１パネル部材２をタッチパネルで構成し、第２パネル部材３を液晶ディスプレイで構成したので、タッチ操作する場合には、第１パネル部材２を前面に位置させ、液晶ディスプレイに映像を表示させる場合には、第２パネル部材３を前面に位置させればよい。第２パネル部材３を前面に位置させて直接視認することが可能となるので、視認性を高めてクリアな映像を見ることができる。
【００４２】
また、各パネル部材２、３を液晶ディスプレイで構成すれば、２画面表示をいずれか一方を視認可能となるように前後の位置を入れ替えたり、２画面表示させたりすることができる。
【００４３】
なお、前記実施形態では、表示パネルを液晶ディスプレイとしたが、これに代えて有機ＥＬディスプレイ（organic electroluminescence display）等の他の薄型のディスプレイで構成することも可能である。
【００４４】
また、前記実施形態では、各パネル部材２、３を重ね合わせた位置（重なり位置）での位置決めまでは言及しなかったが、例えば、重なり位置でピニオン１１に図示しないギア部を噛合させることにより強制的にピニオン１１の回転を阻止して位置決めしてもよいし、パネル部材２、３にストッパを当接させるだけとしてもよい。
【図面の簡単な説明】
【００４５】
【図１】本実施形態に係る表示装置の斜視図である。
【図２】（ａ）は図１からパネル部材をスライド移動させた状態を示し、（ｂ）はパネル部材の前後の位置を変更させた状態を示す斜視図である。
【図３】（ａ）は図１の正面断面図、（ｂ）は（ａ）からパネル部材を若干スライドさせた状態を示す正面断面図である。
【図４】（ａ）は図３（ａ）からパネル部材をさらにスライド移動させた状態を示し、（ｂ）はパネル部材を並設した状態を示す正面断面図である。
【図５】（ａ）はパネル部材の前後の位置を変更した状態を示し、（ｂ）は（ａ）からパネル部材をさらにスライド移動させた状態を示す正面断面図である。す正面断面図である。
【図６】図３（ａ）とはパネル部材の前後の位置を変更した状態を示す正面断面図である。
【図７】本実施形態に係る表示装置において、光又は赤外線通信を行う場合の送受信部のレイアウトの一例を示す斜視図である。
【図８】図７の断面図である。
【符号の説明】
【００４６】
１…装置本体
２…第１パネル部材
３…第２パネル部材
４…溝部
５…支持部
６…ラック
７…リンク部材
８…第１リンク部
９…第２リンク部
１０…摺動部
１１…ピニオン
１２…ガイド溝
１３ａ、１３ｂ…送受信部
【図１】
0005236251.tif 000002
【図２】
0005236251.tif 000003
【図３】
0005236251.tif 000004
【図４】
0005236251.tif 000005
【図５】
0005236251.tif 000006
【図６】
0005236251.tif 000007
【図７】
0005236251.tif 000008
【図８】
0005236251.tif 000009